(57)【特許請求の範囲】
【請求項１】
コ字状のステップの両端にネジ部が形成され、該ステップの主部両端から折り曲げた脚部の中間にかけて樹脂被覆が連続的に施され、前記脚部をコンクリート筒体のステップ取付孔に挿通させ、前記ネジ部にナットが螺着され、前記ステップがコンクリート筒体に固定されるようにしたマンホール用足掛装置において、
前記ステップの脚部の中途には球状凸部が脚部の中心軸線と同心に一体形成され、この球状凸部には、別体の鍔部材が摺回動可能に嵌合されたことを特徴とするマンホール用足掛装置。
【請求項２】
前記鍔部材は全体的に頭截円錐筒状を呈し、小径端部において、前記ステップの球状凸部に摺回動できるような球状内面を持ち、大径端側は弾性変形容易なように、厚さが薄くされていることを特徴とする請求項１記載のマンホール用足掛装置。
【請求項３】
前記鍔部材の大径端付近には環状パッキンが介在されたことを特徴とする請求項１または２記載のマンホール用足掛装置。
【発明の詳細な説明】
【０００１】
【発明の属する技術分野】
本発明は、マンホール足掛装置に関する。
【０００２】
【従来の技術】
従来のこの種のものとして、例えば特開平７−４２１８３号公報に示されるものがあった。即ち、コ字状のステップの両端にネジ部を形成するとともに、該ステップの本体部から左右の折り曲げ部の中間にかけて樹脂を連続的に被覆し、さらに上記折り曲げ部の中間にそれぞれ鍔を上記樹脂被覆と一体成形し、上記折り曲げ部をコンクリート筒体のステップ挿通孔に挿通して上記両鍔をコンクリート筒体の内面に密着させ、上記ネジ部にナットを螺着して上記ステップをコンクリート筒体に固定する。ここで、上記鍔のそれぞれを、コンクリート筒体の内側に向かって凹な椀型にしてあり、鍔を形成する被覆樹脂は、加圧すると弾性変形する特性のものを使ってある。従って、鍔が弾性変形してその周縁をコンクリート筒体の内面に密着するので、ある範囲内でコンクリート筒体の内面曲率に拘わらず、ステップを鍔によって水密性を保ちながら、取り付けが可能になる。
【０００３】
【発明が解決しようとする課題】
しかしながら、このような先行技術では、前記鍔の弾性変形のみでコンクリート筒体の内面に密着させるものである。従って、コンクリート筒体の内面曲率の或る一定範囲内しか適用できなかった。しかも、ステップ本体の樹脂被覆と一体成形されるものであるから、ステップ本体と鍔とに要求される樹脂の性質の双方を満足させる樹脂の選択範囲が非常に限定されてくる。即ち、ステップ本体の樹脂は硬いものがよく、鍔の樹脂は弾性変形に富む柔らかいものが望まれ、相反する要求を満たさねばならない。しかも、鍔を変形させながらナットを締め付けてゆかねばならないので、作業者に相当なる労力を要求する。
【０００４】
本発明は上記課題を解決し、コンクリート筒体のマンホールの内面曲率に拘わらずステップの取り付けを可能にするマンホール用足掛装置を提供することを目的とする。
【０００５】
【課題を解決するための手段】
上記課題を解決するため、本発明の構成は次のとおりとする。即ち、第１構成は、コ字状のステップの両端にネジ部が形成され、該ステップの主部両端から折り曲げた脚部の中間にかけて樹脂被覆が連続的に施され、前記脚部をコンクリート筒体のステップ取付孔に挿通させ、前記ネジ部にナットが螺着され、前記ステップがコンクリート筒体に固定されるようにしたマンホール用足掛装置において、前記ステップの脚部の中途には球状凸部が脚部の中心軸線と同心に一体形成され、この球状凸部には、別体の鍔部材が摺回動可能に嵌合されたことである。
【０００６】
第２構成は、第１構成に加え、前記鍔部材は全体的に頭截円錐筒状を呈し、小径端部において、前記ステップの球状凸部に摺回動できるような球状内面を持ち、大径端側は弾性変形容易なように、厚さが薄くされていることである。
【０００７】
第３構成は、第１構成または第２構成に加え、前記鍔部材の大径端付近には環状パッキンが介在されたことである。
【０００８】
【発明の実施の形態】
以下に本発明の実施態様を図面に示す一実施例にもとづき説明する。図１，２において、コ字状のステップ１の鋼製芯棒１ｆの両端にネジ部１ｃが形成され、該ステップの主部１ａから左右に折り曲げた脚部１ｂの中間にかけて、芯棒１ｆの外周に合成樹脂被覆１ｅが連続的に施される。前記脚部１ｂをコンクリート筒体Ａのステップ取付孔Ａ0に挿通させ、前記ネジ部１ｃにナット７が螺着され、前記ステップ１がコンクリート筒体Ａに固定される。
【０００９】
ここで、ステップの脚部１ｂの中途には、合成樹脂からなる球状凸部１ｄが、脚部の中心軸線と同心に被覆１ｅと一体形成される。そして、この球状凸部１ｄには、別体の合成樹脂からなる鍔部材２が摺回動可能に嵌合されている。鍔部材２は、全体的に頭截円錐筒状を呈した本体２１を有し、小径端部において、前記球状凸部１ｄに摺回動できるような球状内面２１ａを持ち、そこから大径側に順にテーパ内面２１ｂ、環状平面２１ｃおよび環状平端面２１ｄが形成される。そして、環状平面２１ｃに環状パッキン２２が接着される。
【００１０】
コンクリート円筒体Ａには、外周面から内周面に向けて、順に、円筒大径部Ａ1、先細テーパー小径部Ａ2からなる取付孔Ａ0が同心に貫通し、これらの２組が互いに平行に貫通する。そして、コンクリート円筒体Ａの内側において、前記ステップ１がその脚部１ｂを前記取付孔Ａ0を貫通させて、中径部Ａ2に円筒状の第１パッキン３を介在させ、ワッシャー６と第２パッキン４を大径部に介在させ、その後にナット７をネジ部１ｃに螺合させて締付ける。
【００１１】
これにより、ステップ１はその球状凸部１ｄの根元までコンクリート円筒体Ａの取付孔Ａ0に引き込まれる。これと同時に、鍔部材２は、その球状内面２１ａとステップ１の球状凸部１ｄの外面との摺回動により、コンクリート円筒体Ａの内面に沿うような姿勢となり、かつ、弾性変形し、その大径の環状平端面２１ｄと共に環状パッキン２２はコンクリート円筒体Ａの内面に密着する。これにより、雨水に対するシール作用が生じると共に、ステップ１の円筒内面からの突出長さが規制される。また、ワッシャー６は第１，第２パッキン３，４を押圧しつつ、取付孔Ａ0の大径部Ａ1と小径部Ａ2との境界の段部Ａ3に位置決めされる。その後に、大径部Ａ1内にモルタル５が充填される。取付孔の小径部Ａ2はテーパー孔であるから、第１パッキン３の押圧により、テーパー面への押圧分力が生じ、シール効果が極めて良好である。
【００１２】
なお、小径孔Ａ2はコンクリート筒の内側に向かって大径となるテーパー孔としてもよい。また、コンクリート筒体は円筒体のほか、矩形筒体や他の形状のものも使用される。第１，第２パッキン３，４は一体とされてもよい。
【００１３】
本発明は前記した実施例や実施態様に限定されず、特許請求の精神および範囲を逸脱せずに種々の変形を含む。
【００１４】
【発明の効果】
本発明の構成により、鍔部材とステップ本体は分離させてあるので、コンクリート筒体の内面曲率に対応して本体の球状部に沿って鍔部材が動き内面に密着し、シール効果が良い。また、ステップ本体の樹脂被覆と鍔部材の材料を同一にする必要なく、自由に選択できる。しかも、鍔部材はコンクリート筒体の内面に沿って自由に動けるので、ステップ本体のネジ部にナットを締め付ける労力が大幅に減少できる。
【図面の簡単な説明】
【図１】  本発明の一実施例を示す横断面図である。
【図２】  鍔部材の拡大一部断面図である。
【符号の説明】
１  ステップ
１ａ  主部
１ｂ  脚部
１ｃ  ネジ部
１ｄ  球状凸部
１ｅ  被覆
１ｆ  芯材
２  鍔部材
２１  本体
２１ａ  球状内面
２１ｂ  テーパ内面
２１ｃ  環状平面
２１ｄ  環状平端面
２２  パッキン
３  第１パッキン
４  第２パッキン
５  モルタル
６  ワッシャー
７  ナット
Ａ  コンクリート円筒体
Ａ0  取付孔
Ａ1  大径孔部
Ａ2  小径孔部
Ａ3  段部
【図１】
0003819992.tif 000002
【図２】
0003819992.tif 000003